(57)【特許請求の範囲】
【請求項１】
電動送風機が内蔵された掃除機本体と、この掃除機本体に対して着脱自在に取り付けられた集塵容器と、この集塵容器に対して着脱自在に取り付けられると共に一次フィルタが設けられた筒状体と、この筒状体の下流側に着脱自在に取り付けられると共に袋状の二次フィルタが設けられた二次フィルタ体とを有するサイクロン式掃除機において、
前記二次フィルタ体に、可撓性を有する前記二次フィルタを支持する支持体を設け、前記二次フィルタの閉塞端側が前記支持体の内側に裏返されるように折り返され、
前記筒状体の中央部に、前記二次フィルタ側に突出して延びる突起を設けると共に、
前記筒状体に前記二次フィルタ体を取り付けた際に、前記突起が前記支持体の内側に挿入されるように構成したことを特徴とするサイクロン式掃除機。
【請求項２】
前記二次フィルタを折り返して下流側に最大限伸ばした状態の前記二次フィルタ体を前記筒状体に取り付けた際に、前記突起の先端が前記二次フィルタの閉塞端に当接しない程度の長さに、前記突起を形成したことを特徴とする請求項１記載のサイクロン式掃除機。
【請求項３】
前記突起が平板状に形成されていることを特徴とする請求項１記載のサイクロン式掃除機。
【発明の詳細な説明】
【技術分野】
【０００１】
本発明は、サイクロン式掃除機に関するものであり、特に、集塵手段の手入れが行いやすいサイクロン式掃除機に関するものである。
【背景技術】
【０００２】
従来、この種のサイクロン式掃除機としては、送風機が内蔵された掃除機本体と、この掃除機本体に対して着脱自在に取り付けられる集塵容器と、この集塵容器の開口部に着脱自在に取り付けられて短筒状又は裁頭短錐状の基部（本発明の筒状体に相当する）を有する渦流発生部材と、この渦流発生部材の下流側に着脱自在に取り付けられるフィルタ部材（本発明の二次フィルタ体に相当する）とを有するものが知られている（例えば、特許文献１参照。）。そして、前記送風機を作動させることで、前記集塵容器内で塵埃が気流から遠心分離され、粗い塵埃が前記集塵容器内に溜められると共に、細かい塵埃が前記基部のフィルタ及び前記フィルタ部材のフィルタによって捕捉される。そして、前記集塵容器内に溜められた塵埃及び前記各フィルタに付着した塵埃は、前記掃除機本体から前記集塵容器を取り外した後、この集塵容器から前記フィルタ体及び渦流発生部材を取り外すことで、廃棄することができる。
【０００３】
なお、このようなサイクロン式掃除機において、集塵効率を高めるためには、遠心分離の効率を高めると共に、前記フィルタ体のフィルタによる分離効率を高める必要がある。そして、前記フィルタ体のフィルタによる分離効率を高めるためには、このフィルタの面積を大きくする必要がある。そして、フィルタの面積を大きくするための構造の一つとして、可撓性を有する袋状のフィルタの一部を裏返すように折り返す構造がある。このような、袋状のフィルタを折り返す構造は、フィルタの折り返された部分を伸ばして洗浄することで、フィルタに付着した細かい塵埃を洗い落とすことができるという長所を有する。
【先行技術文献】
【特許文献】
【０００４】
【特許文献１】特開２００２−２０９８１４号公報
【発明の開示】
【発明が解決しようとする課題】
【０００５】
しかしながら、このようなサイクロン式掃除機においては、前記渦流発生部材が掴みにくいので、溜まった塵埃を捨てるために前記渦流発生部材を取り外す際に、表面に細かい塵埃が付着した前記渦流発生部材を被清掃面上に落下させて汚してしまう虞があった。また、袋状のフィルタを折り返す構造を採用した場合、前記渦流発生部材及びフィルタ体を前記集塵容器に取り付ける際に、前記フィルタを折り返し忘れると、フィルタが重なり合ってしまうことで、気流がフィルタを何度も通過することで通気抵抗が大きくなってしまい、結果、集塵効率が低下してしまうという問題もあった。
【０００６】
本発明は以上の問題点を解決し、筒状体を容易に着脱して塵捨て等を容易に行うことができるサイクロン式掃除機を提供することを第一の目的とする。また、二次フィルタを折り返し忘れたとしても集塵効率の低下を抑えることができるサイクロン式掃除機を提供することを第二の目的とする。
【課題を解決するための手段】
【０００７】
本発明の請求項１に記載のサイクロン式掃除機は、電動送風機が内蔵された掃除機本体と、この掃除機本体に対して着脱自在に取り付けられた集塵容器と、この集塵容器に対して着脱自在に取り付けられると共に一次フィルタが設けられた筒状体と、この筒状体の下流側に着脱自在に取り付けられると共に袋状の二次フィルタが設けられた二次フィルタ体とを有するサイクロン式掃除機において、前記二次フィルタ体に、可撓性を有する前記二次フィルタを支持する支持体を設け、前記二次フィルタの閉塞端側が前記支持体の内側に裏返されるように折り返され、前記筒状体の中央部に、前記二次フィルタ側に突出して延びる突起を設けると共に、前記筒状体に前記二次フィルタ体を取り付けた際に、前記突起が前記支持体の内側に挿入されるように構成したものである。
【０００８】
また、本発明の請求項２に記載のサイクロン式掃除機は、請求項１において、前記二次フィルタを折り返して下流側に最大限伸ばした状態の前記二次フィルタ体を前記筒状体に取り付けた際に、前記突起の先端が前記二次フィルタの閉塞端に当接しない程度の長さに、前記突起を形成したものである。
【０００９】
更に、本発明の請求項３に記載のサイクロン式掃除機は、請求項１において、前記突起が平板状に形成されているものである。
【発明の効果】
【００１０】
本発明の請求項１に記載のサイクロン式掃除機は、以上のように構成することにより、前記集塵容器に対して前記筒状体を着脱する際に、前記二次フィルタ側に突出して延びる前記筒状体の中央部に設けられた突起を摘むことで、前記筒状体を容易に把持することができ、これによって、前記筒状体を落としてしまう虞を低減させることができる。また、前記二次フィルタ体に、可撓性を有する前記二次フィルタを支持する支持体を設け、前記二次フィルタの閉塞端側が前記支持体の内側に裏返されるように折り返されると共に、前記筒状体に前記二次フィルタ体を取り付けた際に、前記突起が前記支持体の内側に挿入されるように構成したことにより、可撓性を有する袋状の前記二次フィルタを折り返し忘れたまま前記二次フィルタ体を前記筒状体に取り付けたとしても、前記突起に押されることによって前記二次フィルタが折り返されることになるので、通気抵抗の増大による集塵効率の低下を抑えることができる。
【００１１】
また、前記二次フィルタを折り返して下流側に最大限伸ばした状態の前記二次フィルタ体を前記筒状体に取り付けた際に、前記突起の先端が前記二次フィルタの閉塞端に当接しない程度の長さに、前記突起を形成したことにより、前記二次フィルタが、前記突起によって前記支持体の内側に押し込まれたとしても、過度の張力が加わらないので、破れにくくすることができる。
【００１２】
更に、前記突起を平板状に形成したことにより、この突起の幅が広く且つ薄くできることで、この突起を指で摘んだ際に指と前記筒状体の内面との間の余裕を大きくすることができ、これによって、前記突起を摘む指が前記筒状体の内面に当たりにくくして、前記突起を摘み易くすることができる。
【発明を実施するための最良の形態】
【００１３】
以下、本発明の実施形態について、図１乃至図７に基づいて説明する。１は手持ち型のサイクロン式掃除機である。このサイクロン式掃除機１は、掃除機本体２と、この掃除機本体２に対して着脱自在に取り付けられるノズル３と、前記掃除機本体２に対して着脱自在に取り付けられる集塵手段４とを有して構成されている。
【００１４】
前記掃除機本体２は、電動送風機５が内蔵された胴部６と、図示しない吸引経路が内部に設けられた接続部７と、把持部８と、電源コード９とを有して構成されている。また、前記把持部８には、前記集塵手段４を着脱するための操作部１０及び図示しないスイッチ操作部が設けられている。そして、前記接続部７の吸引経路の一端には、前記ノズル３が着脱自在に取り付けられている。
【００１５】
前記集塵手段４は、集塵容器１１と、筒状体１２と、二次フィルタ体１３と、弁１４と、シール部材１５とを有して構成されている。前記集塵容器１１は、比較的硬質で透明な合成樹脂によって、一端が開放、他端が閉塞した有底筒状に形成されている。そして、前記集塵容器１１の一端開口部１６の内側面には、段差部１７が形成されていると共に、前記集塵容器１１の側壁１１Ａで且つ前記段差部１７よりもやや他端寄りには、連通孔１８が貫通して形成されている。また、前記集塵容器１１の側壁１１Ａの一端側には係合受部１９が形成されており、この係合受部１９に前記掃除機本体２の図示しない係合爪が係合することで、前記集塵手段４が前記掃除機本体２に固定されるように構成されている。また、前記集塵容器１１の側壁１１Ａには、前記連通孔１８に隣接して、取付溝２０が前記集塵容器１１の一端側から他端側に延びるように形成されている。
【００１６】
前記筒状体１２は、比較的硬質の合成樹脂等で一体成型されていると共に、有底筒状の円筒部２１と、この円筒部２１の開口端から外側に形成されたフランジ部２２と、返し部２３とを有して構成されている。そして、前記円筒部２１の側壁２１Ａには、一次フィルタとして作用する多数の小孔２４が形成されていると共に、前記円筒部２１の底壁２１Ｂにも、一次フィルタとして作用する複数の小孔２５が形成されている。また、前記円筒部２１の底壁２１Ｂの内側には、補助フィルタ２６が着脱自在に取り付けられている。更に、前記円筒部２１の底壁２１Ｂの中央部には、前記円筒部２１の開口端側へ延びるように、平板状の突起２７が一体に形成されている。なお、この突起２７は、後述する二次フィルタ３４の閉塞端３４Ｂ側を裏返すように折り返して下流側に最大限伸ばした状態で前記二次フィルタ体１３を前記筒状体１２に取り付けた際に、その先端が前記二次フィルタ３４の閉塞端３４Ｂに当接しない程度の長さに形成されている。また、前記フランジ部２２は、位置決め部２２Ａを除いてほぼ円形に形成されていると共に、前記筒状体１２を前記一端開口部１６から前記集塵容器１１に挿入した際に、その外周部が前記段差部１７に当接するように構成されている。更に、前記返し部２３は、前記円筒部２１の側壁２１Ａから連続して徐々に径が大きくなる拡径部２８と、この拡径部２８から連続して形成された短円筒部２９とで構成されている。そして、前記集塵容器１１内において、この集塵容器１１に前記筒状体１２を取り付けた際に前記返し部２３の短円筒部２９の先端が位置する場所から前記集塵容器１１の他端側の底壁１１Ｂまでの空間が、塵埃貯溜部３０となる。
【００１７】
前記二次フィルタ体１３は、両端が開口した短円筒部３１と、この短円筒部３１の一端から外側に形成されたフランジ部３２と、前記短円筒部３１の他端から延びて形成された支持体３３と、前記短円筒部３１に固定された可撓性を有する袋状の二次フィルタ３４とを有して構成されている。なお、前記短円筒部３１とフランジ部３２と支持体３３は、比較的軟質な合成樹脂によって一体成型されている。そして、前記短円筒部３１の内側には、指掛け部３５が形成されている。また、前記フランジ部３２は、位置決め部３２Ａを除いてほぼ円形に形成されていると共に、前記シール部材１５を取り付けるための取付部３６が形成されている。また、前記支持体３３は、複数の柱状体３７及びこれらの柱状体３７の先端同士を環状に接続する環状部３８とにより、全体として裁頭円錐形に形成されていると共に、前記柱状体３７同士及び前記環状部３８の内側を、気流が流通可能に構成されている。また、前記二次フィルタ３４は、前記短円筒部３１と支持体３３を外側から覆っていると共に、その開口端３４Ａが前記短円筒部３１に固定されている。一方、前記二次フィルタ３４の閉塞端３４Ｂ側は、これを裏返すように、前記環状部３８を通して前記支持体３３の内側へ折り返し可能に構成されている。そして、このように折り返された前記二次フィルタ３４は、前記支持体３３によって支えられる。なお、前記二次フィルタ３４の閉塞端３４Ｂは、前記二次フィルタ３４の折り返された部分が前記環状部３８に当接するまで、前記支持体３３内に押し込むことが可能である。更に、前記取付部３６に取り付けられたシール部材１５は、前記二次フィルタ体１３を前記一端開口部１６から前記集塵容器１１に挿入した際に、外周部が前記集塵容器１１の側壁１１Ａの内面に密着するように構成されている。
【００１８】
前記弁１４は、板状の合成ゴムによってほぼ方形に形成されている。そして、前記弁１４の一縁には、前記取付溝２０に挿入される取付リブ３９が形成されている。そして、この取付リブ３９を前記取付溝２０に挿入することで、前記弁１４は前記集塵容器１１に取り付けられる。この際、前記弁１４は、常態では、その外面が前記連通孔１８の周囲の前記側壁１１Ａに当接する。また、前記弁１４が前記集塵容器１１に取り付けられた状態において、前記取付リブ３９が形成された側が固定端４０となると共に、この固定端４０の反対側となる縁が自由端４１となる。また、前記弁１４が前記集塵容器１１に取り付けられた状態において、前記塵埃貯溜部３０側となる縁４２に、腰を持たせるためのリブ４３が、前記集塵容器１１の中心軸Ｘと直交するように形成されている。なお、前記連通孔１８の周囲の前記側壁１１Ａに当接する前記弁１４の外面は、平板状に形成されていると共に、前記弁１４の内面に突出するように、前記リブ４３が形成されている。
【００１９】
次に、本実施形態の作用について説明する。前記掃除機本体２に前記ノズル３及び集塵手段４が取り付けられた状態で、前記電源コード９の先端に設けられた図示しない電源プラグを、同じく図示しない電源に接続した後、同じく図示しないスイッチ操作部を操作することで、前記電動送風機５が作動する。そして、このように前記電動送風機５が作動することで、前記ノズル３から図示しない吸引経路、前記集塵手段４を経て前記電動送風機５に至る吸引気流が形成される。この吸引気流は、図４に示すように、前記連通孔１８を通過して前記集塵容器１１内に入る際に、前記連通孔１８を閉塞している前記弁１４を撓ませる。そして、前述したように、前記弁１４は固定端４０と自由端４１とを有することで、自由端４１側が内側に移動するように傾斜する。このため、前記気流は、前記集塵容器１１内において、傾斜した前記弁１４に沿って方向転換され、図４に示すように、前記集塵容器１１の側壁１１Ａの内面に沿う反時計回りの渦流Ｆとされる。なお、前述したように、前記リブ４３が前記弁１４の縁４２に形成されていることで、この縁４２側の弾性力が他の部分の弾性力よりも強くなっているので、前記縁４２側の撓み量が他の部分の撓み量よりも小さくなっている。換言すれば、前記弁１４の前記縁４２側以外の部分の弾性力が、リブ４３が形成された前記縁４２側の部分の弾性力よりも小さくなっているので、前記弁１４は前記電動送風機５によって形成された気流によって、確実に大きく撓ませることができる。即ち、前記弁１４は、前記縁４２側以外の部分が、前記縁４２側の部分よりも僅かに内側に膨らむように変形する。従って、板状の前記弁１４を用いているにも拘わらず、前記気流は、前記側壁１１Ａの内面に沿って旋回しながら前記塵埃貯溜部３０側に移動するように案内され、それ以外の方向に流れる気流の量を少なく抑えることができる。
【００２０】
このように、前記集塵容器１１内で渦流Ｆが形成されると、この渦流Ｆに含まれる粗い塵埃が遠心分離され、前記側壁１１Ａと返し部２３との間から前記塵埃貯溜部３０に移動すると共に、砂等の粗くて重い塵埃が分離された気流は、前記小孔２５から、或いは前記返し部２３を乗り越えて前記小孔２４から、前記筒状体１２内に流入する。なお、前記気流が前記返し部２３を乗り越える際に、この気流に含まれる塵埃の多くは、前記返し部２３によって下方に返されることになる。そして、前記気流に含まれる綿埃等の粗くて軽い塵埃は、前記筒状体１２内に流入する際に、一次フィルタとして作用する前記小孔２４及び２５、或いは前記補助フィルタ２６によって捕捉される。更に、前記小孔２４及び２５、或いは前記補助フィルタ２６を通過した細かい塵埃は、前記二次フィルタ３４によって捕捉される。そして、前記二次フィルタ３４によって細かい塵埃が分離された清浄な気流は、前記柱状体３７の間、或いは前記環状部３８の内側から前記短円筒部３１を通過して、前記電動送風機５に至る。なお、前述したように、前記突起２７が平板状に形成されていることで、前記突起２７と環状部３８との間隔を広くすることができるので、前記支持体３３の環状部３８と前記筒状体１２の突起２７との間を経由して前記二次フィルタ３４を通過する気流が妨げられないようにすることができる。
【００２１】
そして、図示しないスイッチ操作部を操作して前記電動送風機５を停止させると、吸引気流も消滅する。そして、この吸引気流が消滅すると、前記弁１４は自身の弾性力によって復元し、その外面が前記連通孔１８の周囲の前記側壁１１Ａに当接して前記連通孔１８を閉塞する。この際、前述したように、前記弁１４の縁４２に前記リブ４３が形成されていることで、前記縁４２側の弾性力が他の部分の弾性力よりも強くなっているので、少なくとも、塵埃が溜まっている前記塵埃貯溜部３０側の縁４２は、確実に復元して前記側壁１１Ａに当接することになる。従って、前記塵埃貯溜部３０に溜められた塵埃が、前記連通孔１８から図示しない吸引経路及び前記ノズル３を経て外部に漏れ出ることを、前記弁１４によって確実に阻止することができる。
【００２２】
前記集塵容器１１の塵埃貯溜部３０内に溜まった塵埃を廃棄する場合、前記操作部１０を押して前記係合受部１９と図示しない係合爪との係合を解除した後、前記集塵容器１１を前記ノズル３側に移動させて前記集塵手段４を前記掃除機本体２から取り外し、更に、前記二次フィルタ体１３及び筒状体１２を前記集塵容器１１の一端開口部１６から取り外してこの一端開口部１６を開放させる。このように、前記集塵容器１１の一端開口部１６を開放させることで、前記塵埃貯溜部３０に溜まった塵埃を前記一端開口部１６から廃棄することが可能となる。この際、前述したように、前記縁４２が前記連通孔１８を閉塞しているので、前記塵埃貯溜部３０に溜められた塵埃が、前記連通孔１８から意図しない場所に廃棄されることが防止される。なお、前記二次フィルタ体１３は、前記指掛け部３５に指を掛けて引き出すことで、前記集塵容器１１の一端開口部１６から取り外される。また、前記筒状体１２は、平板状の前記突起２７を摘んで引き出すことで、前記集塵容器１１の一端開口部１６から容易に取り外される。更に、前記突起２７は、前述したように幅が広く且つ薄い平板状に形成されているので、この突起２７を親指と人指し指で摘んだ際に、指と前記円筒部２１の側壁２１Ａの内面との間の余裕を大きくすることができ、これによって、前記突起２７を摘む指が前記円筒部２１の側壁２１Ａの内面に当たりにくくできるので、前記突起２７を容易に且つ確実に摘むことができる。
【００２３】
そして、前記塵埃貯溜部３０に溜められた塵埃を廃棄した後も、前記集塵容器１１の側壁１１Ａや底壁１１Ｂの内面には、細かい塵埃が付着している。また、塵埃貯溜部３０内に溜まった塵埃を廃棄するために前記集塵容器１１から取り外された前記二次フィルタ体１３及び筒状体１２にも、塵埃が付着している。従って、これらに付着した塵埃を除去する必要がある。前記集塵容器１１及び筒状体１２に付着した塵埃は、ブラシ等によって掃き落とすことができるばかりでなく、水洗いによって洗い流すこともできる。なお、前記筒状体１２に取り付けられた前記補助フィルタ２６も、前記筒状体１２から取り外して洗浄することができる。一方、前記二次フィルタ体１３は、その二次フィルタ３４に塵埃が付着する。そして、前記二次フィルタ３４は、図２に示すように、閉塞端３４Ｂ側が裏返されるように折り返されているので、この折り返された部分を前記支持体３３の内側から押し出した後、前記二次フィルタ３４の表面に付着した塵埃をブラシ等で掃き落としたり、前記二次フィルタ３４自身に染み込んだ塵埃を水等で洗い落としたりすることで、前記二次フィルタ３４を清浄にすることができる。このようにして、前記集塵手段４を構成する各要素が清浄にされる。
【００２４】
そして、清浄にされた前記補助フィルタ２６を、同じく清浄にされた前記筒状体１２に装着した後、この筒状体１２を清浄にされた前記集塵容器１１の一端開口部１６から挿入し、更に、清浄にされた前記二次フィルタ体１３を前記筒状体１２の下流側に挿入することで、前記集塵手段４が再び組み立てられる。なお、平板状の前記突起２７を摘んで持つことで、容易に前記筒状体１２を前記集塵容器１１に挿入することができる。また、前記二次フィルタ体１３を前記集塵容器１１の一端開口部１６から挿入する前に、前記二次フィルタ３４の閉塞端３４Ｂ側を裏返すように、前記環状部３８を通して前記支持体３３の内側へ予め折り返しておく。そして、このように再び組み立てられた前記集塵手段４を、再び前記掃除機本体２に取り付けることで、前記サイクロン式掃除機１が再び使用可能となる。
【００２５】
なお、前記二次フィルタ３４の閉塞端３４Ｂ側を折り返さないまま、前記二次フィルタ体１３を前記集塵容器１１の一端開口部１６から挿入して装着してしまうことがある。この際、図５乃至図７に示すように、前記二次フィルタ３４の閉塞端３４Ｂが前記突起２７の先端に当接し、この突起２７によって、前記閉塞端３４Ｂ側が前記環状部３８から前記支持体３３の内側に押し込まれると共に、前記突起２７も、前記環状部３８から前記支持体３３の内側に入り込む。なお、前述したように、前記二次フィルタ３４の閉塞端３４Ｂ側を裏返すように折り返して下流側に最大限伸ばした状態で前記二次フィルタ体１３を前記筒状体１２に取り付けた際に、前記突起２７の先端が前記二次フィルタ３４の閉塞端３４Ｂに当接しない（換言すれば、前記突起２７の先端が前記二次フィルタ３４の閉塞端３４Ｂに当接している状態では、前記支持体３３の先端に設けられた前記環状部３８と前記二次フィルタ３４の折り返し部との間に余裕がある）ので、前記二次フィルタ３４は、前記突起２７によって前記支持体３３の内側に押し込まれたとしても、過度の張力が加わらず、破れにくい。
【００２６】
以上のように、本発明のサイクロン式掃除機１は、電動送風機５が内蔵された掃除機本体２に対して着脱自在に取り付けられる集塵手段４を、集塵容器１１と、この集塵容器１１に対して着脱自在に取り付けられると共に一次フィルタとして作用する小孔２４，２５が設けられた筒状体１２と、この筒状体１２の下流側に着脱自在に取り付けられると共に袋状の二次フィルタ３４が設けられた二次フィルタ体１３とを有して構成すると共に、前記筒状体１２の中央部に、前記二次フィルタ３４側に突出して延びる突起２７を設けたことで、前記集塵容器１１に対し前記筒状体１２を着脱する際に、前記突起２７を摘むことで、前記筒状体１２を容易に把持することができ、これによって、前記筒状体１２を落としてしまう虞を低減させることができるものである。
【００２７】
また、前記二次フィルタ体１３に、可撓性を有する前記二次フィルタ３４を支持する支持体３３を設け、前記二次フィルタ３４の閉塞端３４Ｂが前記支持体３３の内側に裏返されるように折り返されると共に、前記筒状体１２の下流側に前記二次フィルタ体１３を取り付けた際に、前記突起２７が前記支持体３３の内側に挿入されるように構成したので、前記二次フィルタ３４の閉塞端３４Ｂ側を折り返し忘れたまま前記二次フィルタ体１３を前記筒状体１２の下流側に取り付けたとしても、前記突起２７に押し込まれることによって前記二次フィルタ３４の閉塞端３４Ｂ側が折り返されることになるので、通気抵抗の増大による集塵効率の低下を抑えることができるものである。
【００２８】
更に、前記突起２７を平板状に形成したことにより、この突起２７の幅が広く且つ薄くできることで、この突起２７を指で摘んだ際に、指と前記側壁２１Ａ内面との間の余裕を大きくすることができ、これによって、前記突起２７を摘む指が前記側壁２１Ａ内面に当たりにくくして、前記突起２７を摘み易くすることができるので、前記筒状体１２を落としてしまう虞を更に低減させることができるものである。
【００２９】
なお、本発明は以上の実施形態に限定されるものではなく、発明の要旨の範囲内で種々の変形実施が可能である。例えば、上記実施形態では、筒状体に一次フィルタとして多数の小孔を形成したが、図８に示すように、筒状体５１の円筒部５２の側壁５２Ａ及び底壁５２Ｂに大きな開口５３，５４を形成し、これらの開口５３，５４に、一次フィルタとして通常のフィルタ５５，５６を取り付けると共に、前記底壁５２Ｂの中央に突起５７を形成しても良い。また、上記実施形態では、前記突起を平板状に形成したが、要は、摘みやすく、また、前記環状部の内側を通る気流を妨げない形状であればよいので、図９に示すように、突起６１の断面が十字状となるように形成してもよく、また、図１０に示すように、突起７１を円筒状に形成してもよい。
【図面の簡単な説明】
【００３０】
【図１】本発明の一実施形態を示すサイクロン式掃除機の側面図である。
【図２】同、集塵機構部の拡大断面図である。
【図３】同、電動送風機の停止時における集塵機構部のＡ−Ａ断面図である。
【図４】同、電動送風機の作動時における集塵機構部のＡ−Ａ断面図である。
【図５】同、筒状体への二次フィルタ体の取付前の状態を示す拡大断面図であり。
【図６】同、筒状体への二次フィルタ体の取付中の状態を示す拡大断面図である。
【図７】同、筒状体への二次フィルタ体の取付後の状態を示す拡大断面図である。
【図８】本発明の他の実施形態を示すサイクロン式電気掃除機の筒状体の拡大断面図である。
【図９】本発明の更に他の実施形態を示すサイクロン式掃除機の筒状体の拡大断面図であり、（ａ）は縦断面図、（ｂ）はＢ−Ｂ断面図である。
【図１０】本発明の更に他の実施形態を示すサイクロン式掃除機の筒状体の拡大断面図であり、（ａ）は縦断面図、（ｂ）はＣ−Ｃ断面図である。
【符号の説明】
【００３１】
１  サイクロン式掃除機
２  掃除機本体
５  電動送風機
１１  集塵容器
１２，５１  筒状体
１３  二次フィルタ体
２４  小孔（一次フィルタ）
２５  小孔（一次フィルタ）
２７，５７，６１，７１  突起
３３  支持体
３４  二次フィルタ
３４Ｂ  閉塞端
５５，５６  一次フィルタ
【図１】
0005190299.tif 000002
【図２】
0005190299.tif 000003
【図３】
0005190299.tif 000004
【図４】
0005190299.tif 000005
【図５】
0005190299.tif 000006
【図６】
0005190299.tif 000007
【図７】
0005190299.tif 000008
【図８】
0005190299.tif 000009
【図９】
0005190299.tif 000010
【図１０】
0005190299.tif 000011